(57)【要約】【課題】装飾性を豊かにすることで演出効果を高め、遊技者の興趣を向上させることが可能な演出を行うことができる遊技機を提供する。【解決手段】遊技盤１１の表面側から入賞装置ユニットの例としての第２始動入賞装置ユニット２０が取り付けられている遊技機１であって、第２始動入賞装置ユニット２０には、遊技盤１１に取付固定するためのベース部としての第２始動入賞装置用ベース部材３５が形成されており、第２始動入賞装置用ベース部材３５は、遊技盤１１の盤面１１ａに施された配色とは異なる配色がなされており、第２始動入賞装置用ベース部材３５の表面３５ａと裏面３５ｂとの間を貫通形成し、盤面の配色を視認可能にするための装飾用孔部４６を有する装飾部４５を備えた。【選択図】図１
2015033526.tif 000002
【特許請求の範囲】
【請求項１】
遊技盤の表面側から入賞装置ユニットが取り付けられている遊技機であって、
前記入賞装置ユニットには、前記遊技盤に取付固定するためのベース部が形成されており、
前記ベース部は、
前記遊技盤の盤面に施された配色とは異なる配色がなされており、
前記ベース部の表面と裏面との間を貫通形成し、前記盤面の配色を視認可能にするための装飾用孔部を有する装飾部を備えていることを特徴とする遊技機。
【請求項２】
ベース部は、遊技球が流下する流下領域を有しており、
装飾用孔部材は、前記流下領域に形成されている請求項１記載の遊技機。
【請求項３】
装飾部は、ベース部の表面において前記ベース部の肉厚を他の部分よりも厚肉にすることで所定の装飾を形成する厚肉装飾部を備えた請求項１又は２記載の遊技機。
【請求項４】
装飾部は、ベース部の表面において前記ベース部の肉厚を他の部分よりも薄肉にすることで所定の装飾を形成する薄肉装飾部を備えた請求項１〜３のいずれかに記載の遊技機。
【発明の詳細な説明】
【技術分野】
【０００１】
本発明は、遊技盤の盤面に各種の装飾部材等が設けられた遊技機に関する。
【背景技術】
【０００２】
従来から、パチンコ機等の遊技機が知られている。一般的に、パチンコ機は遊技盤を備えており、この遊技盤の表面側盤面には遊技領域が形成されている。遊技領域は、発射装置で弾発された遊技球が流下する領域であり、遊技球の流下方向を変化させるための多数の障害釘や、センター役物、各種入賞装置と言った各種部材が設けられている。
【０００３】
各種部材は、遊技盤の表面側からネジ止め等により取付固定されているものが多く存在する。これら各種部材は、遊技盤に取付固定する際のネジ孔等が形成されたベース部を有している。例えば、各種入賞装置の場合には、各種入賞口が開口形成されている入賞装置本体と、各種入賞装置を遊技盤面に取付固定するためのネジ孔等を有するベース部とを備えている（例えば、特許文献１）。
【先行技術文献】
【特許文献】
【０００４】
【特許文献１】特開２０１２−２４９７０３号公報
【発明の概要】
【発明が解決しようとする課題】
【０００５】
近年は、遊技機の演出の多様性等の観点から、遊技領域内に配設される役物装置が大型化し、これに伴って役物装置以外の各種部材、例えば各種入賞装置等が配置される領域は減少する傾向にある。一般的に、遊技盤の盤面には、遊技機のコンセプトや特定のキャラクターを描いた各種絵柄が描かれていたり、遊技者の興趣を向上させるような絵柄が描かれていることが多い。しかし、近年の遊技機は、役物装置が取付固定された周囲の狭いスペースに遊技盤の表面側から各種入賞装置等が取付固定されることも多いため、遊技盤の盤面に描かれた各種絵柄等を遊技者に視認させにくくし、遊技盤に描かれた各種絵柄等による演出が行いにくいという問題があった。
【０００６】
本発明は、上記した問題点に鑑みてなされたものであり、装飾性を豊かにすることで演出効果を高め、遊技者の興趣を向上させることが可能な演出を行うことができる遊技機を提供することを目的とする。
【課題を解決するための手段】
【０００７】
本発明は、
（１）遊技盤の表面側から入賞装置ユニットが取り付けられている遊技機であって、前記入賞装置ユニットには、前記遊技盤に取付固定するためのベース部が形成されており、前記ベース部は、前記遊技盤の盤面に施された配色とは異なる配色がなされており、前記ベース部の表面と裏面との間を貫通形成し、前記盤面の配色を視認可能にするための装飾用孔部を有する装飾部を備えていることを特徴とする遊技機、
（２）ベース部は、遊技球が流下する流下領域を有しており、装飾用孔部材は、前記流下領域に形成されている上記（１）記載の遊技機、
（３）装飾部は、ベース部の表面において前記ベース部の肉厚を他の部分よりも厚肉にすることで所定の装飾を形成する厚肉装飾部を備えた上記（１）又は（２）記載の遊技機、
（４）装飾部は、ベース部の表面において前記ベース部の肉厚を他の部分よりも薄肉にすることで所定の装飾を形成する薄肉装飾部を備えた上記（１）〜（３）のいずれかに記載の遊技機、
を要旨とする。
【発明の効果】
【０００８】
本発明によれば、装飾性を豊かにすることにより演出効果を高めて遊技者の興趣を向上させることができる演出を行うことが可能になる。
【図面の簡単な説明】
【０００９】
【図１】本発明の実施の形態に係る遊技機の正面図である。
【図２】（ａ）図は、第２始動入賞装置の表面側からの斜視図であり、（ｂ）図は、第２始動入賞装置の裏面側からの斜視図である。
【図３】（ａ）図は、第２始動入賞装置の表面側からの分解斜視図であり、（ｂ）図は、第２始動入賞装置の裏面側からの分解斜視図である。
【図４】遊技盤において第２始動入賞装置が取付固定されている箇所を拡大して示す拡大図である。
【発明を実施するための形態】
【００１０】
本発明に係る遊技機の実施の形態について、図面を用いて具体的に説明する。なお、本明細書では、本発明に係る遊技機の例としてパチンコ遊技機（以下、単に遊技機と言う。）を用いて説明するが、本発明はパチンコ遊技機以外の遊技機にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１１】
［遊技機１の外観構成］
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて形成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１２】
遊技機１は、遊技盤１１に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９ａ，９ｂ，９ｃが配置されている。また、遊技機１の内部には、音声を出力するためのスピーカ１０が設けられている。
【００１３】
遊技盤１１は、アクリルやポリカーボネート等の合成樹脂材料で略正方形に形成された平板状の部材である。この遊技盤１１の背面側には、裏ユニット（図示せず）がビス等によって取付固定されている。遊技盤１１には、センター役物としての演出装置１２の装飾枠１３を取付固定するための開口部が略中央部に開口形成されている。また、遊技盤１１の表面には、発射装置で弾発された遊技球を遊技盤１１の上部へ案内する案内レール１５が設けられている。また、遊技盤１１には、案内レール１５により遊技盤１１の上部に案内された遊技球が遊技盤１１の下部に向けて流下する遊技領域１６が形成されている。
【００１４】
遊技領域１６には、演出装置１２を視認可能にするとともに装飾枠１３を取り付けるための開口部が略中央部に形成されている。また、遊技領域１６には、第１始動入賞装置ユニット１７、大入賞装置ユニット１８、通過入賞装置ユニット１９及び第２始動入賞装置ユニット２０等の各種入賞装置ユニットが設けられている。また、遊技領域１６には、多数の誘導釘２１が打たれている。遊技領域１６を流下する遊技球は、誘導釘２１に当たって流下方向を変化させながら、遊技領域１６の上部から下部に向かって流下する。遊技領域１６を流下する遊技球の一部は、各種入賞装置に設けられている各種入賞口（図示せず）に入賞する。また、遊技領域１６を流下する遊技球のうち、各種入賞口に入賞しなかった遊技球は、遊技領域１６の最下部に設けられた第１アウト口２２又は第１始動入賞装置ユニット１７に形成されている後述する第２アウト口２５に流入する。
【００１５】
第１始動入賞装置ユニット１７は、遊技盤１１において演出装置１２の下方であって該遊技盤１１の左右方向中央よりも左側の案内レール１５寄りにネジ止め等の方法で取付固定されている。第１始動入賞装置ユニット１７は、第１始動入賞口（図示せず）が形成された第１始動入賞装置２３、第１普通入賞口（図示せず）を有する第１普通入賞装置２４及び第２アウト口２５が第１始動入賞装置用ベース部材２６に設けられて構成されている。これら第１始動入賞口、第１普通入賞口及び第２アウト口２５は、いずれも遊技球が入賞可能な大きさに開口形成されている。遊技機１では、第１普通入賞口に遊技球が入賞すると、所定個数（例えば１５個）の賞球が払い出され、第１始動入賞口に遊技球が入賞すると、遊技機１において遊技者に有利な特別遊技状態に移行するか否かを抽選する大当り抽選を行う。また、第２アウト口２５には、第１始動入賞装置ユニット１７に向けて流下してきて、第１普通入賞口及び第１始動入賞口のいずれにも入賞しなかった遊技球が流入する。
【００１６】
大入賞装置ユニット１８は、遊技盤１１において演出装置１２の下方であって該遊技盤１１の左右方向中央よりも右側にネジ止め等の方法で取付固定されている。大入賞装置ユニット１８は、大入賞装置用ベース部材２７に大入賞口（図示せず）が開口形成されると共に、この大入賞口を開閉する扉部材２８が大入賞装置用ベース部材２７に開閉自在に取り付けられている。遊技機１では、上記した大当り抽選に当選して遊技状態が特別遊技状態に移行した場合に、所定個数（例えば１０個）の遊技球が入賞するか、又は所定時間（例えば３０秒）が経過するまでの間、扉部材２８が開いて大入賞口に遊技球が入賞し、その入賞した遊技球の数に対応した数の賞球を払い出す。
【００１７】
通過入賞装置ユニット１９は、遊技盤１１の上下方向の略中央であって該遊技盤１１の左右方向中央よりも右側にネジ止め等の方法で取付固定されている。通過入賞装置ユニット１９は、遊技球が通過可能な大きさに形成された通過入賞口（図示せず）を有している。遊技球が通過入賞口を通過すると、予め定められた確率の下で抽選を行う。抽選の結果は、遊技盤１１の下部に設けられている普通図柄表示装置２９に表示される。
【００１８】
第２始動入賞装置ユニット２０は、遊技盤１１において通過入賞装置ユニット１９と大入賞装置ユニット１８との間の高さ位置であって、遊技盤１１の左右方向中央よりも右側に該遊技盤１１の表面側からネジ止め等の方法で取付固定されている。図２に示すように、第２始動入賞装置ユニット２０は、第２始動入賞口３０が形成されるとともに、該第２始動入賞口３０を開閉するための開閉扉３１が設けられた第２始動入賞装置３２、第２普通入賞口３３及び第３普通入賞口３４が第２始動入賞装置用ベース部材３５の表面に設けられて構成されている。これら第２始動入賞口３０、第２普通入賞口３３及び第３普通入賞口３４は、いずれも遊技球が入賞可能な大きさに開口形成されている。また、第２始動入賞装置ユニット２０の表面側には、第２普通入賞口３３及び第３普通入賞口３４を形成するための入賞口形成部材３６が取付固定されている。また、第２始動入賞装置ユニット２０の表面側には、第２始動入賞口３０へ遊技球を案内する第１案内部３７及び第２案内部３８が形成されている。これら第１案内部３７及び第２案内部３８は、第２始動入賞口３０を挟むようにして配置されており、これら第１案内部３７及び第２案内部３８の間において開閉扉３１が開いた時には、第１案内部３７及び第２案内部３８によって案内された遊技球が第２始動入賞口３０に入賞するように構成されている。
【００１９】
また、第２始動入賞装置ユニット２０は、第２始動入賞装置用ベース部材３５の裏面側に、開閉扉３１を開閉駆動させるための駆動ユニット３９と、第２始動入賞口３０に入賞した遊技球を第２始動入賞装置用ベース部材３５の裏側に案内する第１案内通路４０と、第２普通入賞口３３に入賞した遊技球を第２始動入賞装置用ベース部材３５の裏側に案内する第２案内通路４１と、第３普通入賞口３４に入賞した遊技球を第２始動入賞装置用ベース部材３５の裏側に案内する第３案内通路４２とを備えている。
【００２０】
図２に示すように、第２始動入賞装置用ベース部材３５は、遊技盤１１に第２始動入賞装置ユニット２０を取付固定するためのもので、該遊技盤１１に対してネジ止め等によって取付固定するための取付孔４３が開口形成されている。第２始動入賞装置用ベース部材３５には、遊技球が流下する流下領域４４が形成されている。さらに、第２始動入賞装置用ベース部材３５には、流下領域４４に装飾部４５が形成されている。装飾部４５は、装飾用孔部４６、厚肉装飾部４７及び薄肉装飾部４８を有している。装飾用孔部４６は、第２始動入賞装置用ベース部材３５の表面と裏面との間を貫通し、遊技盤１１の盤面１１ａの配色を視認可能となるように形成されている。本実施の形態では装飾用孔部４６は星形状をしているが、形状はこれに限定されるものではない。また、装飾用孔部４６の大きさや個数も、遊技盤１１の盤面１１ａの配色が視認できれば、任意に決定してよい。
【００２１】
厚肉装飾部４７は、第２始動入賞装置用ベース部材３５の表面３５ａにおいて、該第２始動入賞装置用ベース部材３５の肉厚を他の部分よりも厚肉にすることで所定の装飾を形成するように成形されている。本実施の形態では、第２始動入賞装置用ベース部材３５の他の部分よりも厚肉にすることで曲線状に描いた模様にし、装飾性を向上させている。なお、本実施の形態では、曲線状に描いた模様とすることで厚肉装飾部４７を形成しているが、厚肉装飾部４７の形状等はこれに限定されるものではなく、また厚肉装飾部４７における肉厚も任意に決定してよい。
【００２２】
薄肉装飾部４８は、第２始動入賞装置用ベース部材３５の表面３５ａにおいて、該第２始動入賞装置用ベース部材３５の肉厚を他の部分よりも薄肉にすることで所定の装飾を形成するように成形されている。本実施の形態では、薄肉装飾部４８は、第２始動入賞装置用ベース部材３５の肉厚よりも薄肉の星形状に形成されているが、薄肉装飾部４８の形状はこれに限定されるものではなく、また、薄肉装飾部４８における肉厚も任意に決定してよい。
【００２３】
これら装飾用孔部４６、厚肉装飾部４７及び薄肉装飾部４８は、それぞれ単独に配置させて用いてもよいが、装飾用孔部４６、厚肉装飾部４７及び薄肉装飾部４８を組み合わせるように配置して用いることが好ましい。これらを組み合わせて配置することにより、第２始動入賞装置用ベース部材３５の表面における装飾性をより向上させることができ、遊技機１の遊技の進行に伴う演出効果をさらにより向上させることが可能になる。
【００２４】
次に、本実施の形態に係る遊技機１の作用効果について説明する。図１に示すように、第２始動入賞装置ユニット２０は、遊技盤１１の盤面１１ａに、該遊技盤１１の表面側からネジ止め等によって取付固定される。遊技盤１１において第２始動入賞装置ユニット２０を取り付けた部分を拡大した部分拡大図を図４に示す。本実施の形態に係る遊技機１では、第２始動入賞装置ユニット２０を遊技盤１１に取付固定すると、第２始動入賞装置用ベース部材３５の配色と遊技盤１１の盤面１１ａの配色とが異なっている。そのため、遊技者は、第２始動入賞装置用ベース部材３５の色を視認する他に、装飾用孔部４６を通じて視認可能な遊技盤１１の盤面１１ａの色を視認することができる。また、第２始動入賞装置用ベース部材３５の色を視認できる領域においては、厚肉装飾部４７又は薄肉装飾部４８が形成されている領域と、これ以外の領域とで、第２始動入賞装置用ベース部材３５において視認可能な色に変化を持たせることができる。したがって、遊技者は、第２始動入賞装置ユニット２０を視認する際に、第２始動入賞装置用ベース部材３５において、厚肉装飾部４７又は薄肉装飾部４８が形成されている領域の色と、これら厚肉装飾部４７又は薄肉装飾部４８が形成されていない領域の色と、装飾用孔部４６を通じて視認可能な色というように、異なる色を同時に視認することができる。したがって、遊技者の遊技に対する興趣をより向上させることが可能になる。
【００２５】
特に、本実施の形態では、遊技者が遊技中に注目することの多い第２始動入賞装置ユニット２０において装飾用孔部４６、厚肉装飾部４７及び薄肉装飾部４８を形成しているので、これらによって遊技の進行に伴う演出効果をより向上させることができ、遊技者の興趣をさらにより向上させることも可能になる。
【００２６】
なお、本実施の形態では、入賞装置ユニットの中から第２始動入賞装置ユニット２０に装飾用孔部４６、厚肉装飾部４７及び薄肉装飾部４８を形成した例を用いて説明したが、第２始動入賞装置ユニット２０以外の第１始動入賞装置ユニット１７、大入賞装置ユニット１８、通過入賞装置ユニット１９に適用してもよい。また、第２始動入賞装置ユニット２０を含めたこれらの入賞装置ユニットに装飾用孔部４６、厚肉装飾部４７及び薄肉装飾部４８を形成する場合には、いずれか一つの入賞装置ユニットに対して適用してもよいし、複数の入賞装置ユニットに対して適用してもよい。また、本明細書において記載した入賞装置ユニット以外の構成を有する入賞装置ユニットを遊技機１が備えている場合には、その入賞装置ユニットに適用してもよい。
【００２７】
以上、本発明に係る遊技機の実施の形態について詳細に説明したが、本明細書に記載した遊技機の構成及び作用効果は、本発明に係る遊技機に関する一つの例を示したに過ぎず、これに限定されるものではない。また、本発明に係る遊技機においては、本発明の趣旨を逸脱しない範囲において、適宜その構成を変更してもよい
【符号の説明】
【００２８】
１  遊技機
１１  遊技盤
１１ａ  盤面
１２  演出装置
１６  遊技領域
１７  第１始動入賞装置ユニット
１８  大入賞装置ユニット
１９  通過入賞装置ユニット
２０  第２始動入賞装置ユニット
２６  第１始動入賞装置用ベース部材
２７  大入賞装置用ベース部材
４５  装飾部
４６  装飾用孔部
４７  厚肉装飾部
４８  薄肉装飾部
【図１】
2015033526.tif 000003
【図２】
2015033526.tif 000004
【図３】
2015033526.tif 000005
【図４】
2015033526.tif 000006